(57)【要約】【課題】ガイドローラによるベルトの蛇行修正操作が容易且つ安全に行えるテンション付与装置を提供することを目的とする。【解決手段】ガイドローラ支持体１２に当接可能な状態で雄ネジ１７ｂが筐体２０の下方から上下動自在に挿通されており、該雄ネジ１７ｂを筐体２０の下方から回転操作することにより、ガイドローラ７の傾きを変えてベルトの蛇行を修正可能としたことを解決手段とする。【選択図】　図１
0003098489.tif 000002
【実用新案登録請求の範囲】
【請求項１】
パチンコ店等の遊技場において各遊技台で発生するタバコの吸殻やタバコの灰を回収するベルト（３）のテンション付与装置であって、原動ローラによって駆動されるベルト（３）が巻き掛けられて自由回転する従動ローラ（５）を回転自在に支持し且つベルト（３）の長手方向に進退自在とされた従動ローラ支持体（６）と、該従動ローラ支持体（６）をベルト（３）に張りを与える方向に付勢する付勢手段（１１）と、ベルト（３）に接触して自由回転するガイドローラ（７）をベルト（３）の幅方向に傾斜可能またはベルト（３）の長手方向に対して角度変更可能に支持するガイドローラ支持体（１２）と、を筐体（２０）に備えるテンション付与装置において、ガイドローラ支持体（１２）に当接可能な状態または部材を介して当接可能な状態で雄ネジが筐体（２０）の下方から上下動自在に挿通されており、該雄ネジを筐体（２０）の下方から回転操作することにより、ガイドローラ（７）の傾きまたは角度を変えてベルト（３）の蛇行を修正可能としたことを特徴とするテンション付与装置。
【請求項２】
前記ガイドローラ支持体（１２）は、ガイドローラ（７）の回転軸（７ａ）の左右側端を支持する左右一対の支持片（１２ｃ，１２ｄ）を有するとともに該支持片（１２ｃ，１２ｄ）を介してガイドローラ（７）をベルト（３）の幅方向に傾斜可能に支持するものであり、前記支持片（１２ｃ，１２ｄ）に当接可能な状態で左右一対の雄ネジ（１７ａ，１７ｂ）が筐体（２０）の下方から上下動自在に挿通されており、各雄ネジ（１７ａ，１７ｂ）を筐体（２０）の下方から回転操作することにより、ガイドローラ（７）の傾きを変えてベルト（３）の蛇行を修正可能とした請求項１に記載のテンション付与装置。
【請求項３】
ガイドローラ（７）の回転軸（７ａ）の左右側端の一方が筐体（２０）に設けられた側板（２０ｂ）により支持されるとともに、前記ガイドローラ支持体（１２）は、他方を支持する支持片を有し且つガイドローラ（７）をベルト（３）の幅方向に傾斜可能に支持するものであり、該支持片に当接可能な状態で雄ネジが筐体（２０）の下方から上下動自在に挿通されており、該雄ネジを筐体（２０）の下方から回転操作することにより、ガイドローラ（７）の傾きを変えてベルト（３）の蛇行を修正可能とした請求項１に記載のテンション付与装置。
【請求項４】
従動ローラ支持体（６）をベルト（３）の長手方向に進退可能に挿通した支持軸（１８）を有するとともに従動ローラ支持体（６）を載置した状態で支持軸（１８）に外装着されたバネ（１０）を介して従動ローラ支持体（６）をベルト（３）に張りを与える方向に付勢する支持体載置片（１９）と、該支持体載置片（１９）をベルト（３）の長手方向に進退可能に挿通したネジ軸（８）と、支持体載置片（１９）を載置した状態で該支持体載置片（１９）のベルト（３）を弛緩させる方向への移動を制止するべくネジ軸（８）に螺合された移動制止ブロック（９）と、を筐体（２０）にさらに備える請求項１乃至３のいずれかに記載のテンション付与装置。
【請求項５】
ベルト（３）が巻き掛けられた状態の従動ローラ（５）を該ベルト（３）とともにベルト（３）の幅方向から外部に取り出し可能とすべく、筐体（２０）に切り欠き（２０ａ）が設けられてなる請求項４に記載のテンション付与装置。
【考案の詳細な説明】
【０００１】
【考案の属する技術分野】
本考案は、パチンコ店等の遊技場において各遊技台で発生するタバコの吸殻や灰（以下、「タバコ灰」という。）を回収するベルトのテンション付与装置に関する。
【０００２】
【従来の技術】
パチンコ店等の遊技場において、各遊技台で発生するタバコ灰を効率的に回収ために無端状の伝動ベルトを用いたベルト回収装置が知られている。
【０００３】
このベルト回収装置においては、図３に示すように複数の遊技台２に亘って設けられたカウンタ１３の上面における各遊技台２の前方部位に灰投入孔１５が設けられ、カウンタ１３の下面には各灰投入孔１５と連通した落下孔１５ａを備えるダクト１４が設置されている。このダクト１４内にベルト３が収容されており、ベルト３はモーター等によって駆動される原動ローラ４と従動ローラ５とに巻き掛けられてベルト伝動され、ベルト３の一端に設けられたテンション付与装置４１によって従動ローラ５を介してベルト３に張力が付与されている。このベルト３によって、各落下孔１５を通過してベルト３上に落下したタバコ灰が回収容器１６内へ移送され回収される。
【０００４】
このテンション付与装置４１は、従動ローラ５を支持する支持体４６をベルト３の長手方向に進退可能に挿通した支持軸８を備え、該支持軸８に外装着され、ブロック４９によって移動を制止されたバネ５０によって支持体４６がベルト３に張りを与える方向に付勢されている。
【０００５】
また、テンション付与装置４１には、ベルト３に接触して自由回転するとともに、ベルト３の長手方向に対して角度変更可能とされたガイドローラ７が設けられており、該ガイドローラ７の角度を変更することにより、ベルト３のベルト伝動途中における蛇行が修正されている。
【０００６】
このような蛇行修正操作は、テンション付与装置４１の側方から横移動自在に挿通された雄ネジ５７を回転操作することにより行われている。
【０００７】
【考案が解決しようとする課題】
しかしながら、この雄ネジ５７は、ガイドローラ７が従動ローラ５よりも原動ローラ４に近い所に位置するために、必然的にベルト３に相当接近した位置に設けられることとなり、しかも、そのような位置は外部から視認しがたいことから、ベルト３の蛇行修正操作は、従来、行い難いものであった。また、そのような蛇行修正操作はベルト３が伝動途中に行われるため、雄ネジ５７がベルト３に接近した位置に設けられていると安全上も好ましくない。
【０００８】
本考案は、上述した問題に鑑みてなされたものであり、ガイドローラによるベルトの蛇行修正操作が容易且つ安全に行えるテンション付与装置を提供することを目的とする。
【０００９】
【課題を解決するための手段】
本考案のテンション付与装置は、前記目的を達成するために、パチンコ店等の遊技場において各遊技台で発生するタバコの吸殻やタバコの灰を回収するベルトのテンション付与装置であって、原動ローラによって駆動されるベルトが巻き掛けられて自由回転する従動ローラを回転自在に支持し且つベルトの長手方向に進退自在とされた従動ローラ支持体と、該従動ローラ支持体をベルトに張りを与える方向に付勢する付勢手段と、ベルトに接触して自由回転するガイドローラをベルトの幅方向に傾斜可能またはベルトの長手方向に対して角度変更可能に支持するガイドローラ支持体と、を筐体に備えるテンション付与装置において、ガイドローラ支持体に当接可能な状態または部材を介して当接可能な状態で雄ネジが筐体の下方から上下動自在に挿通されており、該雄ネジを筐体の下方から回転操作することにより、ガイドローラの傾きまたは角度を変えてベルトの蛇行を修正可能としたことを特徴とする。
【００１０】
該テンション付与装置によれば、ベルトの蛇行の修正を行うための雄ネジが筐体の下方から上下動自在に挿通されているため、雄ネジは、必然的にベルトから離間した位置に設けられることとなり、それと同時に、そのような位置は外部から視認し易くなる。
【００１１】
前記テンション付与装置にあっては、前記ガイドローラ支持体は、ガイドローラの回転軸の左右側端を支持する左右一対の支持片を有するとともに該支持片を介してガイドローラをベルトの幅方向に傾斜可能に支持するものであり、前記支持片に当接可能な状態で左右一対の雄ネジが筐体の下方から上下動自在に挿通されており、各雄ネジを筐体の下方から回転操作することにより、ガイドローラの傾きを変えてベルトの蛇行を修正可能としたことが好ましい。
【００１２】
また、前記テンション付与装置にあっては、ガイドローラの回転軸の左右側端の一方が筐体に設けられた側板により支持されるとともに、前記ガイドローラ支持体は、他方を支持する支持片を有し且つガイドローラをベルトの幅方向に傾斜可能に支持するものであり、該支持片に当接可能な状態で雄ネジが筐体の下方から上下動自在に挿通されており、該雄ネジを筐体の下方から回転操作することにより、ガイドローラの傾きを変えてベルトの蛇行を修正可能としたことが好ましい。
【００１３】
該テンション付与装置によれば、単一のネジを回転操作するのみで、ベルトの蛇行が修正可能となる。
【００１４】
前記いずれかのテンション付与装置にあっては、従動ローラ支持体をベルトの長手方向に進退可能に挿通した支持軸を有するとともに従動ローラ支持体を載置した状態で支持軸に外装着されたバネを介して従動ローラ支持体をベルトに張りを与える方向に付勢する支持体載置片と、該支持体載置片をベルトの長手方向に進退可能に挿通したネジ軸と、支持体載置片を載置した状態で該支持体載置片のベルトを弛緩させる方向への移動を制止するべくネジ軸に螺合された移動制止ブロックと、を筐体にさらに備えることが好ましい。
【００１５】
該テンション付与装置によれば、従動ローラ支持体をベルトに張りを与える方向に付勢する付勢手段を、支持体載置片と、該支持体載置片における支持軸に外装着されたバネとにより構成することができる。
【００１６】
前記テンション付与装置にあっては、ベルトが巻き掛けられた状態の従動ローラを該ベルトとともにベルトの幅方向から外部に取り出し可能とすべく、筐体に切り欠きが設けられてなることが好ましい。
【００１７】
該テンション付与装置によれば、筐体に設けられた側板を取り外さないでも、筐体に設けられた切り欠きからベルトが巻き掛けられた状態の従動ローラを該ベルトとともにベルトの幅方向から外部に取り出すことが可能となって従動ローラの交換作業が効率的に行えるようになる。
【００１８】
【考案の実施の形態】
以下、本考案に係るテンション付与装置の一実施形態について図面を参照しながら説明する。図１は、本実施形態のテンション付与装置１の全体構成を示す斜視図である。また、図２（イ）は、該テンション付与装置１の側面図であり、図２（ロ）は、該テンション付与装置１におけるガイドローラ支持体の動作を説明する正面図である。なお、図２（ロ）においては、ガイドローラは、ガイドローラ支持体によってベルトの幅方向に水平に支持されている。
【００１９】
該テンション付与装置１は、筐体２０を備えており、詳しくは、図１に示すように、筐体２０は、水平状態に設けられた底板２０ｃと、該底板２０ｃの左側縁部から立設された左側板２０ｂと、底板２０ｃの右側縁部から立設された右側板２０ｂ´（左側板２０ｂと左右対称の形状のものである。図１においては図示せず。）と、底板２０ｃの後方端部から左側板２０ｂおよび右側板２０ｂ´を連設するように立設された背面板２０ｄとを備えている。
【００２０】
該筐体２０には、原動ローラ（図示せず）によって駆動されるベルト３が巻き掛けられて自由回転する従動ローラ５を回転自在に支持する従動ローラ支持体６が設けられている。該従動ローラ支持体６は、従動ローラ５の回転軸が回転自在に係合される係合凹部が形成された左右一対の係合片６ｃ，６ｄおよび水平面部６ｂを有しており、前記係合片６ｃ，６ｄは、それぞれ水平面部６ｂの左右側部に立設状態で接合されている。
【００２１】
また、筐体２０には、従動ローラ支持体６をベルト３の長手方向（以下、ベルト長手方向という。）に進退可能に挿通した支持軸１８を有するとともに従動ローラ支持体６を載置した状態で支持軸６に外装着されたバネ１０を介して従動ローラ支持体６をベルト３に張りを与える方向に付勢する支持体載置片１９が設けられている。
【００２２】
詳しくは、支持体載置片１９は、水平状態に設けられた載置面部１９ｃと、該載置面部１９ｃの後方端部から垂下して設けられた垂下片１９ａと、該垂下片１９ａと前後方向に対向するように載置面部１９ｃが下方に延長されて設けられた垂下部１９ｂとを備えている。この載置面部１９ｃには、ベルト長手方向に延びる矩形状の長孔１９ｄが形成されており、該載置面部１９ｃ上に従動ローラ支持体６の水平面部６ｂが載置されている。また、支持軸１８は、支持体載置片１９の垂下片１９ａおよび垂下部１９ｂの間にベルト長手方向に架設されており、該支持軸１８により、従動ローラ支持体６の後方端部から垂下して設けられた舌片６ａが長孔１９ｄに沿って進退可能に挿通されている。また、支持体載置片１９の垂下部１９ｂと従動ローラ支持体６の舌片６ａとの間の支持軸１８にはバネ１０が外装着されており、該バネ１０が舌片６ａを押圧することにより、従動ローラ支持体６が支持体載置片１９によってベルト３に張りを与える方向に付勢されるように構成されている。本実施の形態では、支持体載置片１９と、該支持体載置片１９における支持軸１８に外装着されたバネ１０とによって、従動ローラ支持体６をベルトに張りを与える方向に付勢する付勢手段１１が構成されている。
【００２３】
また、筐体２０には、前記支持体載置片１９をベルト３の長手方向に進退可能に挿通したネジ軸８が設けられている。詳しくは、ネジ軸８は、背面板２０ｄと、該背面板２０ｄと対向するように底板２０ｃが下方に延長されて設けられた垂下部２０ｅとの間にベルト長手方向に架設されている。ネジ軸８は、垂下部２０ｅ側の端部に蝶ナット８ａが螺合され、背面板２０ｄ側の端部に六角ナット８ｂが螺合されて筐体本体に固定されている。また、筐体２０の底板２０ｃには、ベルト長手方向に延びる矩形状の長孔２０ｆが形成されており、ネジ軸８は、支持体載置片１９の垂下片１９ａを長孔２０ｆに沿って進退可能に挿通している。
【００２４】
また、筐体２０には、支持体載置片１９を底板２０ｃに載置した状態で該支持体載置片１９のベルト３を弛緩させる方向への移動を制止するべくネジ軸８に螺合された移動制止ブロック９が設けられている。即ち、ネジ軸８に螺合された移動制止ブロック９に支持体載置片１９の垂下片１９ａが当接することにより、支持体載置片１９のベルト３を弛緩させる方向への移動が制止されている。したがって、移動制止ブロック９のネジ軸８における位置を変えることにより、支持体載置片１９の可動範囲とともに、該支持体載置片１９に載置され、ネジ１０を介して支持体載置片１９によって押圧されてベルトに張りを与える方向に付勢されている従動ローラ支持体６の可動範囲を調節することができる。
【００２５】
また、筐体２０には、ベルト３に接触して自由回転するガイドローラ７をベルト３の幅方向（以下、ベルト幅方向という。）に傾斜可能に支持するガイドローラ支持体１２が設けられている。該ガイドローラ支持体１２は、ガイドローラ７の回転軸７ａの左右側端を支持する左右一対の支持片１２ｃ，１２ｄを有するとともに該支持片１２ｃ，１２ｄを介してガイドローラ７をベルト幅方向に傾斜可能に支持している。詳しくは、ガイドローラ支持体１２は、筐体２０の左右の側板２０ｂ，２０ｂ´に跨るように固定されたコ字状の支持片１２ａによって、ネジ１２ｂを介してベルト幅方向に傾斜可能に支持されている。そして、該支持片１２ｃ，１２ｄに当接可能な状態で、左右一対の雄ネジ１７ａ，１７ｂが筐体２０の下方から上下動自在に挿通されている。このような状態で、雄ネジ１７ａ，１７ｂを筐体２０の下方から回転操作することにより、ガイドローラ７の傾きを変えてベルト３の蛇行を修正可能としている。
【００２６】
なお、筐体２０には、ベルト３が巻き掛けられた状態の従動ローラ５を該ベルト３とともにベルト３の幅方向から外部に取り出し可能とすべく、切り欠き２０ａが設けられている。これにより、左右いずれかの側板２０ｂまたは２０ｂ´を筐体本体から取り外さないでも、切り欠き２０ａからベルト３が巻き掛けられた状態の従動ローラ５を該ベルト３とともにベルト３の幅方向から外部に取り出すことが可能となって従動ローラ５の交換作業が効率化され、テンション付与装置１のメンテナンス性が向上する。
【００２７】
本実施の形態のテンション付与装置１は、以上の構成からなり、従動ローラ５を回転自在に支持する従動ローラ支持体６が、バネ１０および支持体載置片１９により構成される付勢手段１１によって常時ベルト３に張りを与える方向に付勢され、且つガイドローラ７がベルト３に接触して自由回転している状態で、筐体２０の下方から上下動自在に挿通された雄ネジ１７ａ，１７ｂを筐体２０の下方から回転操作することによって、ガイドローラ７の傾きを変えてベルト３の蛇行を修正することができる。
【００２８】
即ち、例えば、図２（ロ）の状態で左方向に蛇行したベルト３を修正するには、筐体２０の左側に位置する雄ネジ１７ａを回転操作し、該雄ネジ１７ａを介して支持片１２ｃを上昇させることで、ガイドローラ７をネジ１２ｂを支点として右下がりに傾斜させればよい。一方、図２（ロ）の状態で右方向に蛇行したベルト３を修正するには、筐体２０の右側に位置する雄ネジ１７ｂを回転操作し、該雄ネジ１７ｂを介して支持片１２ｄを上昇させることで、ガイドローラ７をネジ１２ｂを支点として右上がりに傾斜させればよい。なお、各雄ネジを上述した操作と反対の方向に回転操作すると、ガイドローラ７は、ベルト３に接触してベルト３から常時押圧力が付与されているため、図２（ロ）の状態に復帰するようになる。
【００２９】
以上説明したように、本実施の形態のテンション付与装置１によれば、ベルト３の蛇行の修正に用いる雄ネジ１７ａ，１７ｂが筐体２０の下方から上下動自在に挿通されているため、該雄ネジ１７ａ，１７ｂは、必然的にベルト３から離間した位置に設けられることとなり、それと同時に、そのような位置は外部から視認し易くなることから、ベルト３の蛇行修正操作を容易に行えるようになる。しかも、かかる蛇行修正操作は、ベルト３が伝動途中に行われるため、そのように雄ネジ１７ａ，１７ｂがベルト３から離間した位置に設けられていると、安全上も好ましいものとなる。
【００３０】
尚、本考案は、その要旨を変更しない限り、上記実施形態に何ら限定されない。上記実施形態のテンション付与装置１では、ガイドローラ支持体１２によりガイドローラ７がベルト幅方向に傾斜可能に支持されるように、且つ、ガイドローラ支持体１２に当接可能な状態で雄ネジが筐体２０の下方から上下動自在に挿通されるように構成したが、その代わりに、ガイドローラ支持体１２によりガイドローラ７がベルト長手方向に対して角度変更可能に支持されるように、且つ、ガイドローラ支持体１２に部材（上下方向の動きを前後方向の動きに変換する部材）を介して当接可能な状態で雄ネジが筐体２０の下方から上下動自在に挿通されるように構成してもよい。
【００３１】
また、上記実施形態のテンション付与装置１では、ガイドローラ支持体１２は、ガイドローラ７の回転軸７ａの左右側端を支持する左右一対の支持片１２ｃ，１２ｄを有するとともに該支持片１２ｃ，１２ｄを介してガイドローラ７をベルト３の幅方向に傾斜可能に支持するものであり、前記支持片１２ｃ，１２ｄに当接可能な状態で左右一対の雄ネジ１７ａ，１７ｂが筐体２０の下方から上下動自在に挿通されており、各雄ネジ１７ａ，１７ｂを筐体２０の下方から回転操作することにより、ガイドローラ７の傾きを変えてベルト３の蛇行を修正可能としたが、その代わりに、ガイドローラ７の回転軸７ａの左右側端の一方が筐体２０に設けられた側板により支持されるとともに、前記ガイドローラ支持体１２は、他方を支持する支持片を有し且つガイドローラ７をベルト３の幅方向に傾斜可能に支持するものであり、該支持片に当接可能な状態で雄ネジが筐体２０の下方から上下動自在に挿通されており、該雄ネジを筐体２０の下方から回転操作することにより、ガイドローラ７の傾きを変えてベルト３の蛇行を修正可能としてもよい。これにより、単一の雄ネジを回転操作するのみで、ベルト３の蛇行が修正可能となり、ベルト３の蛇行修正操作が更に容易に行えるようになる。
【００３２】
また、上記実施の形態のテンション付与装置１では、ガイドローラ支持体１２に当接可能な状態で雄ネジ１７ａ，１７ｂを筐体２０の下方から上下動自在に挿通し、ガイドローラ７の回転軸７ａの左右側端を支持する支持片１２ｃ，１２ｄに雄ネジ１７ａ，１７ｂを当接させ、該雄ネジ１７ａ，１７ｂを上下動させることで、ガイドローラ７の傾きを変えてベルト３の蛇行を修正可能としたが、その代わりに、ガイドローラ７の回転軸７ａの左右側端または左右側端の一方を支持する支持片に直接螺合するように雄ネジを筐体２０の下方から挿通し、該支持片への雄ネジの螺入量を変えることでガイドローラ７の傾きを変えてベルト３の蛇行を修正可能としても本考案の意図する範囲内である。これにより、雄ネジを支持片から螺脱させるように回転操作することによって支持片自体が雄ネジの動きに追従して下降するようになり、ベルト３の蛇行修正操作が更に確実に行えるようになる。
【００３３】
【考案の効果】
以上のように、本考案に係るテンション付与装置によれば、ガイドローラによるベルトの蛇行修正操作が容易且つ安全に行えるようになる。
【図面の簡単な説明】
【図１】本考案に係るテンション付与装置の全体構成を示す斜視図である。
【図２】図２（イ）は、本考案に係るテンション付与装置の側面図であり、図２（ロ）は、該テンション付与装置におけるガイドローラ支持体の動作を説明する正面図である。
【図３】図３は、ベルト回収装置の据付状態を示す概略図である。
【符号の説明】
１…テンション付与装置、３…ベルト、５…従動ローラ、６…従動ローラ支持体、７…ガイドローラ、７ａ…回転軸、８…ネジ軸、９…移動制止ブロック、１０…バネ、１１…付勢手段、１２…ガイドローラ支持体、１２ｃ，１２ｄ…支持片、１７ａ，１７ｂ…雄ネジ、１８…支持軸、１９…支持体載置片、２０…筐体、２０ａ…切り欠き
【図１】
0003098489.tif 000003
【図２】
0003098489.tif 000004
【図３】
0003098489.tif 000005